(57)【要約】【課題】寸法の異なる被包装物に適用できる包装材を提供する、【解決手段】  シート状基材よりなる包装材であって、前記包装材は長方形の底部と、少なくとも該底部の長方形の一辺と、その一辺に直交する他の一辺の両方にフラップ部を有しており、  前記フラップ部は、被包装物を包装の際、側面及び天面の全てを覆うことができる面積を有しており、少なくとも一方のフラップ部から底部にかけての折り畳みが可能で、底部の少なくとも一辺に平行であり、山折り用の罫線と谷折り用の罫線からなる折り畳み用の罫線を有することを特徴とする包装材である。【選択図】図１
2019131284.tif 000002
【特許請求の範囲】
【請求項１】
シート状基材よりなる包装材であって、前記包装材は長方形の底部と、少なくとも該底部の長方形の一辺と、その一辺に直交する他の一辺の両方にフラップ部を有しており、
前記フラップ部は、被包装物を包装の際、側面及び天面の全てを覆うことができる面積を有しており、
少なくとも一方のフラップ部から底部にかけての折り畳みが可能で、底部の少なくとも一辺に平行であり、山折り用の罫線と谷折り用の罫線からなる折り畳み用の罫線を有することを特徴とする包装材。
【請求項２】
シート状基材よりなる包装材であって、前記包装材は長方形の底部と、該底部の長方形の一組の対向する辺に設けられている第１フラップ部と第２フラップ部、他の対向する辺に設けられている第３フラップ部と第４フラップ部を有しており、
前記第１フラップ部から底部、第２フラップ部にかけての折り畳みが可能で、前記他の対向する辺に平行であり、山折り用の罫線と谷折り用の罫線からなる折り畳み用の罫線Ｘを有することを特徴とする包装材。
【請求項３】
シート状基材よりなる包装材であって、前記包装材は長方形の底部と、該底部の長方形の一組の対向する辺に設けられている第１フラップ部と第２フラップ部、他の対向する辺に設けられている第３フラップ部と第４フラップ部を有しており、
前記第１フラップ部から底部、第２フラップ部にかけての折り畳みが可能で、前記他の対向する辺に平行であり、山折り用の罫線と谷折り用の罫線からなる折り畳み用の罫線Ｘと、
前記第３フラップ部から底部、第４フラップ部にかけての折り畳みが可能で、前記一組の対向する辺に平行であり、山折り用の罫線と谷折り用の罫線からなる折り畳み用の罫線Ｙを有することを特徴とする包装材。
【請求項４】
各フラップ部には、該フラップ部が接続する底部に平行で、底部からの距離が略等しい位置に蓋部折り曲げようの罫線Ｚを有する請求項２又は請求項３記載の包装材。
【請求項５】
隣り合う各フラップ部が、折り込み保護部により接続されている請求項２〜４のいずれかに記載の包装材。
【請求項６】
前記折り込み保護部には、折り込み用罫線Ｗを有する請求項５に記載の包装材。
【請求項７】
シート状基材よりなる包装材であって、前記包装材は長方形の底部と、該底部の長方形の一組の対向する辺に設けられている第１フラップ部と第２フラップ部、他の対向する辺に設けられている第３フラップ部を有しており、
前記第１フラップ部から底部、第２フラップ部にかけての折り畳みが可能で、前記他の対向する辺に平行であり、山折り用の罫線と谷折り用の罫線からなる折り畳み用の罫線Ｘを有することを特徴とする包装材。
【請求項８】
シート状基材よりなる包装材であって、前記包装材は長方形の底部と、該底部の長方形の一組の対向する辺に設けられている第１フラップ部と第２フラップ部、他の対向する辺に設けられている第３フラップ部を有しており、
前記第３フラップ部から底部にかけての折り畳みが可能で、前記一組の対向する辺に平行であり、山折り用の罫線と谷折り用の罫線からなる折り畳み用の罫線Ｙを有することを特徴とする包装材。
【請求項９】
シート状基材よりなる包装材であって、前記包装材は長方形の底部と、該底部の長方形の一組の対向する辺に設けられている第１フラップ部と第２フラップ部、他の対向する辺に設けられている第３フラップ部を有しており、
前記第１フラップ部から底部、第２フラップ部にかけての折り畳みが可能で、前記他の対向する辺に平行であり、山折り用の罫線と谷折り用の罫線からなる折り畳み用の罫線Ｘと、
前記第３フラップ部から底部にかけて、前記一組の対向する辺に平行であり、山折り用の罫線と谷折り用の罫線からなる折り畳み用の罫線Ｙを有することを特徴とする包装材。
【請求項１０】
各フラップ部には、該フラップ部が接続する底部に平行で、底部からの距離が略等しい位置に蓋部折り曲げ用の罫線Ｚを有する請求項７〜９のいずれかに記載の包装材。
【請求項１１】
第１フラップ部及び第２フラップ部には、更にコーナー保護フラップ部を有する請求項７〜１０のいずれかに記載の包装材。
【請求項１２】
請求項１〜１１のいずれかに記載の包装材において、少なくとも一つの折り畳み用の罫線により折り畳まれていることを特徴とする包装材。
【請求項１３】
シート状基材が段ボール又は片面段ボールである請求項１〜１２のいずれかに記載の包装材。
【請求項１４】
包装材の底部の長方形の少なくとも一辺と、段ボール又は片面段ボールの中芯の段山との角度が３０〜６０度である請求項１３に記載の包装材。
【請求項１５】
シート状基材が紙製緩衝部を有する請求項１〜１４のいずれかに記載の包装材。
【請求項１６】
シート状基材が樹脂製の緩衝部を有する請求項１〜１４のいずれかに記載の包装材。
【発明の詳細な説明】
【技術分野】
【０００１】
本発明は、異なるサイズの被包装物を容易に梱包できる包装材である。
【背景技術】
【０００２】
オンラインショップ等で購入した商品等は、段ボール箱に梱包され配送されることが多い。商品の大きさは異なるので、数種類の包装材を準備しておき、商品ごとに包装材を選び、組み立て、箱詰めしている。寸法の合わない場合は、発泡スチロールや新聞紙、エアーキャップなどにより隙間を埋めたり、台紙にストレッチフィルムなどで固定した、段ボール箱を小さくカットして小さい箱に調整したりしている。
【０００３】
或いは、寸法の異なる商品を梱包するために、罫線を設けた包装材が提案されている（特許文献１参照）。
【先行技術文献】
【特許文献】
【０００４】
【特許文献１】実用新案登録第３１７１８６９号公報
【発明の概要】
【発明が解決しようとする課題】
【０００５】
しかし、特許文献１に記載された梱包材は、寸法の小さい商品を包装する場合、箱に組み立てる際に、切断する作業が有するなど、複雑であり、実用的ではない。
本発明は、梱包を容易に行うことができ、寸法の異なる箱を一枚の包装材から組み立てることを可能とするものである。
【課題を解決するための手段】
【０００６】
本発明は、以下のとおりである。
（１）シート状基材よりなる包装材であって、前記包装材は長方形の底部と、少なくとも該底部の長方形の一辺と、その一辺に直交する他の一辺の両方にフラップ部を有しており、
前記フラップ部は、被包装物を包装の際、側面及び天面の全てを覆うことができる面積を有しており、
少なくとも一方のフラップ部から底部にかけての折り畳みが可能で、底部の少なくとも一辺に平行であり、山折り用の罫線と谷折り用の罫線からなる折り畳み用の罫線を有することを特徴とする包装材である。
（２）シート状基材よりなる包装材であって、前記包装材は長方形の底部と、該底部の長方形の一組の対向する辺に設けられている第１フラップ部と第２フラップ部、他の対向する辺に設けられている第３フラップ部と第４フラップ部を有しており、
前記第１フラップ部から底部、第２フラップ部にかけての折り畳みが可能で、前記他の対向する辺に平行であり、山折り用の罫線と谷折り用の罫線からなる折り畳み用の罫線Ｘを有することを特徴とする包装材である。
（３）シート状基材よりなる包装材であって、前記包装材は長方形の底部と、該底部の長方形の一組の対向する辺に設けられている第１フラップ部と第２フラップ部、他の対向する辺に設けられている第３フラップ部と第４フラップ部を有しており、
前記第１フラップ部から底部、第２フラップ部にかけての折り畳みが可能で、前記他の対向する辺に平行であり、山折り用の罫線と谷折り用の罫線からなる折り畳み用の罫線Ｘと、
前記第３フラップ部から底部、第４フラップ部にかけての折り畳みが可能で、前記一組の対向する辺に平行であり、山折り用の罫線と谷折り用の罫線からなる折り畳み用の罫線Ｙを有することを特徴とする包装材である。
（４）各フラップ部には、該フラップ部が接続する底部に平行で、底部からの距離が略等しい位置に蓋部折り曲げようの罫線Ｚを有する（２）又は（３）記載の包装材である。
（５）隣り合う各フラップ部が、折り込み保護部により接続されている（２）〜（４）のいずれかに記載の包装材である。
（６）前記折り込み保護部には、折り込み用罫線Ｗを有する（５）に記載の包装材である。
（７）シート状基材よりなる包装材であって、前記包装材は長方形の底部と、該底部の長方形の一組の対向する辺に設けられている第１フラップ部と第２フラップ部、他の対向する辺に設けられている第３フラップ部を有しており、
前記第１フラップ部から底部、第２フラップ部にかけての折り畳みが可能で、前記他の対向する辺に平行であり、山折り用の罫線と谷折り用の罫線からなる折り畳み用の罫線Ｘを有することを特徴とする包装材である。
（８）シート状基材よりなる包装材であって、前記包装材は長方形の底部と、該底部の長方形の一組の対向する辺に設けられている第１フラップ部と第２フラップ部、他の対向する辺に設けられている第３フラップ部を有しており、
前記第３フラップ部から底部にかけての折り畳みが可能で、前記一組の対向する辺に平行であり、山折り用の罫線と谷折り用の罫線からなる折り畳み用の罫線Ｙを有することを特徴とする包装材である。
（９）シート状基材よりなる包装材であって、前記包装材は長方形の底部と、該底部の長方形の一組の対向する辺に設けられている第１フラップ部と第２フラップ部、他の対向する辺に設けられている第３フラップ部を有しており、
前記第１フラップ部から底部、第２フラップ部にかけての折り畳みが可能で、前記他の対向する辺に平行であり、山折り用の罫線と谷折り用の罫線からなる折り畳み用の罫線Ｘと、
前記第３フラップ部から底部にかけて、前記一組の対向する辺に平行であり、山折り用の罫線と谷折り用の罫線からなる折り畳み用の罫線Ｙを有することを特徴とする包装材である。
（１０）各フラップ部には、該フラップ部が接続する底部に平行で、底部からの距離が略等しい位置に蓋部折り曲げ用の罫線Ｚを有する（７）〜（９）のいずれかに記載の包装材である。
（１１）第１フラップ部及び第２フラップ部には、更にコーナー保護フラップ部を有する（７）〜（１０）のいずれかに記載の包装材である。
（１２）（１）〜（１１）のいずれかに記載の包装材において、少なくとも一つの折り畳み用の罫線により折り畳まれていることを特徴とする包装材である。
（１３）シート状基材が段ボール又は片面段ボールである（１）〜（１２）のいずれかに記載の包装材である。
（１４）包装材の底部の長方形の少なくとも一辺と、段ボール又は片面段ボールの中芯の段山との角度が３０〜６０度である（１３）に記載の包装材である。
（１５）シート状基材が紙製緩衝部を有する（１）〜（１４）のいずれかに記載の包装材である。
（１６）シート状基材が樹脂製の緩衝部を有する（１）〜（１４）のいずれかに記載の包装材である。
【発明の効果】
【０００７】
本発明の包装材によれば、被包装物の寸法に合わせ、折り畳み用罫線を適宜折り畳むことにより、数種類の寸法の箱を提供することが可能となる
【図面の簡単な説明】
【０００８】
【図１】本発明の包装材を説明する平面説明図。
【図２】図１の包装材の罫線Ｙ１、Ｙ２で折り畳んだ平面図。
【図３】図２のＡ−Ａ線の断面説明図。
【図４】図１の包装材の罫線Ｘ１、Ｘ２で折り畳んだ平面図。
【図５】図４のＢ−Ｂ線の断面説明図。
【図６】図１の包装材の罫線Ｘ１、Ｘ２及びＹ１、Ｙ２で折り畳んだ平面図。
【図７】本発明の包装材の他の構成を説明する平面説明図。
【図８】本発明の包装材の他の構成を説明する平面説明図。
【図９】本発明の包装材の他の構成を説明する平面説明図。
【図１０】本発明の包装材の他の構成を説明する平面説明図。
【図１１】図１０の包装材の罫線Ｘ１、Ｘ２で折り畳んだ平面図。
【図１２】図１１のＣ−Ｃ線の断面説明図。
【図１３】図１１の包装材の使用方法を説明する図。
【図１４】図１１の包装材の使用方法を説明する図。
【図１５】図１１の包装材の包装状態を説明する図。
【図１６】本発明の包装材の包装状態を説明する図
【図１７】本発明の包装材の包装状態を説明する図
【図１８】本発明の包装材の包装状態を説明する図
【図１９】本発明の包装材の他の使用方法を説明する図。
【発明を実施するための形態】
【０００９】
本発明の包装材について図面を用いて説明する。なお、本発明は、図面の内容に限定されるものではない。
【００１０】
図１に示すように、シート状基材より構成される包装材１である。
包装材１は長方形（ａ−ｂ−ｃ−ｄ）の底部２と、少なくとも該底部の長方形の一辺と、その一辺に直交する他の一辺の両方にフラップ部を有しており、
前記フラップ部は、被包装物を包装の際、側面及び天面の全てを覆うことができる面積を有し、
少なくとも一方のフラップ部から底部にかけて繋がり、底部の少なくとも一辺に平行であり、且つ、山折り用の罫線と谷折り用の罫線からなる折り畳み用の罫線Ｘ或いは罫線Ｙを有する。フラップ部から底部にかけての繋がった罫線を設けることで、フラップ部から底部にかけての折り畳みが容易に行うことができる。
フラップ部は、直交する位置に一つずつあれば、被包装物の側面及び天面の全てを覆うことができる。即ち、フラップ部が２つの場合‘Ｌ’字状、フラップ部が３つの場合‘Ｔ’字状、フラップ部が４つの場合‘十’字状となる。以下に実施態様例として、図１のような４つのフラップ部を有する場合と、図９のような３つのフラップ部を有する場合について説明する。
【００１１】
まず、図１を用いて４つのフラップ部を有する包装材の態様を説明する。
本発明は、包装材１は長方形（ａ−ｂ−ｃ−ｄ）の底部２と、該底部の長方形の一組の対向する辺（ｂ−ｃとａ−ｄ）に設けられている第１フラップ部３と第２フラップ部４、他の対向する辺（ｂ−ａとｃ−ｄ）に設けられている第３フラップ部５と第４フラップ部６を有しており、前記第１フラップ部３から底部２、第２フラップ部４にかけて繋がり、底部の一辺（ａ−ｂ）に平行であり、山折り用の罫線（Ｘ１又はＸ２）と谷折り用の罫線（Ｘ２又はＸ１）からなる折り畳み用の罫線Ｘを有することが特徴である。繋がった罫線Ｘを有することで、第１フラップ部３から底部２、第２フラップ部４にかけての折り畳みが容易に行うことができる。
各フラップ部は、底部の箱立ち上げ用罫線Ｖ１〜Ｖ４により片側同一面側（被包装物を配置する面）に折り曲げ、被包装物の高さに合わせ再度折り曲げることで、好ましくは蓋部折り曲げ罫線Ｚを用いて折り曲げることで、被包装物の側面、及び天面の全てを覆うことができる。
底部２は長方形（ａ−ｂ−ｃ−ｄ）であるが、勿論正方形であっても構わない。便宜上、図面では、底部の長方形の辺の短い側を、第１フラップ部、第２フラップ部としているが、これに限定されるものではなく、辺の長い側を第１フラップ部、第２フラップ部としても構わない。
【００１２】
また、本発明は、包装材１は長方形（ａ−ｂ−ｃ−ｄ）の底部２と、該底部の長方形の一組の対向する辺（ｂ−ｃとａ−ｄ）に設けられている第１フラップ部３と第２フラップ部４、他の対向する辺（ｂ−ａとｃ−ｄ）に設けられている第３フラップ部５と第４フラップ部６を有しており、
前記第１フラップ部３から底部２、第２フラップ部４にかけての折り畳みが可能で、底部の一辺に平行であり、且つ、山折り用の罫線（Ｘ１又はＸ２）と谷折り用の罫線（Ｘ２又はＸ１）からなる折り畳み用の罫線Ｘと、
前記第３フラップ部５から底部２、第４フラップ部６にかけて、底部の他の一辺に平行であり、且つ山折り用の罫線（Ｙ１又はＹ２）と谷折り用の罫線（Ｙ２又はＹ１）からなる折り畳み用の罫線Ｙを有することを特徴とする包装材である。
どちらか一方の折り畳み用の罫線Ｘを設ける場合に比べ、罫線Ｘに直交する罫線Ｙを設けることで、縦横どちらの寸法をもあわせが可能となる。
【００１３】
ここで折り畳み用罫線Ｘ、Ｙについて説明する。罫線は、底部の長方形のいずれかの辺に平行に設けられ、罫線Ｘと罫線Ｙは直交する。また、罫線Ｘ、罫線Ｙはそれぞれ山折り用の罫線と谷折り用の罫線からなる。山折り用の罫線と谷折り用の罫線は、平行に設けられており、底部および各フラップ部において寸法調節の際の折り畳みを可能とする。なお、山折り用の罫線と谷折り用罫線は、便宜上使い分けているが、山折りする場合の罫線を山折り用、谷折りする場合の罫線を谷折り用と表現しているだけで、罫線自身の構造の違いを規定するものではない。
【００１４】
例えば、罫線Ｙを折り畳む場合、図２及び図３のようになる。この場合は、被包装物の設置面はａ−ｂ’−ｃ’−ｄという形状になる。また、罫線Ｘを折り畳む場合は、図４及び図５のようになる。この場合は、被包装物の設置面はａ−ｂ−ｃ’−ｄ’という形状になる。罫線Ｘ及び罫線Ｙで折り畳む場合は、図６のようになる。この場合は、被包装物の設置面はａ−ｂ’−ｃ’’−ｄ’という形状になる。なお、折り畳む操作をしない場合は被包装物の設置面はａ−ｂ−ｃ−ｄいう形状である。このように、被包装物の底面の大きさに合わせ、包装材の罫線Ｘや罫線Ｙにより、最適な寸法で折り畳むようにして底部の寸法を調節し、被包装物を置きフラップ部を折り曲げていくことで、寸法の異なる被包装物を包装することができる。例えば、第１フラップ部と第２フラップ部を被包装物に合わせて折っていき、テープや糊で固定し、次いで第３フラップ部と第４フラップ部を折っていき、蓋としてテープや糊で固定することにより箱状の包装物にするとよい。
罫線Ｘや罫線Ｙにより折り畳むため、箱状にする際の不要部分をハサミやナイフで切り取るような作業は不要である。また、底部だけでなく、フラップ部まで罫線を利用して折り畳むため、折り畳んだ部分が元に戻ることはない。なお、少し包装作業が煩雑になるが、畳んだ部分を糊やテープ、ステープラーなどで固定、補強しても構わない。
【００１５】
罫線Ｘ、Ｙは、山折り用と谷折り用を有すればよく、組み合わせは適宜行うことが出来る。図示していないが、山折り用を一本と、谷折り用を二本とし、谷折り用の罫線を使い分けることで寸法調節を行うこともできる。また、図７のように、底部２の中心から対象となる位置に罫線Ｘや罫線Ｙを設けることもできる。底部２のシートの重なりが左右対称となるので、安定した状態になる。なお、罫線Ｘ、Ｙは、フラップ部と底部を折り畳むことが容易に行うことができれば、折り畳みを行う全域において繋がっている必要はない。
【００１６】
各フラップ部は、折り曲げの作業性を高めるために、蓋部折り曲げ用罫線Ｚを設けるとよい。図面では罫線Ｚ１〜Ｚ６で図示しているが、罫線の本数、位置については適宜形成できる。なお、蓋部折り曲げ用罫線Ｚは底部に平行であることが好ましい。また、各フラップ部の罫線Ｚは、底部からの距離が略同要るであることが好ましい。
【００１７】
隣り合うフラップ部同士（第１フラップ部と第３フラップ部、第１フラップ部と第４フラップ部、第２フラップ部と第３フラップ部、第２フラップ部と第４フラップ部）を連結するように、折り込み保護部７を有すると、コーナーの隙間から塵などが混入することを防ぐことが出来るので好ましい。折り込み保護部７は、包装の際に内部に折り込まれるため、作業性を改善するために、折り込み用罫線Ｗを設けておいてもよく、設けることが好ましい。折り込み保護部は、図８のように、隣り合うフラップ部の折り曲げ用罫線同士を結ぶ切り目線８、９を設けておくことも出来る。この場合、折り曲げるフラップ部の位置に合わせて、折り込み保護部の切り目線８，９により大きさを変更することができる。例えば、切り目線８によりｅ−ｆ−ｇ−ｈの台形部分を取り外すことができ、切り目線９によればｅ−ｆ−ｉ−ｊの台形部分を取り外すことができる。切り目線８，９は直線に限定するものではなく、曲線であっても構わない。
【００１８】
図９は、フラップ部が３箇所の場合の包装材の態様の説明図である。
この場合の包装材２１は、長方形（ａ−ｂ−ｃ−ｄ）の底部２２と、該底部の長方形の一組の対向する辺に設けられている第１フラップ部２３と第２フラップ部２４、他の対向する辺に設けられている第３フラップ部２５を有しており、
前記第１フラップ部２３から底部２２、第２フラップ部２４にかけての折り畳みが可能で、前記他の対向する辺に平行であり、山折り用の罫線と谷折り用の罫線からなる折り畳み用の罫線Ｘ有する。
また、この場合の包装材２１は、包装材は長方形（ａ−ｂ−ｃ−ｄ）の底部２２と、該底部の長方形の一組の対向する辺に設けられている第１フラップ部２３と第２フラップ部２４、他の対向する辺に設けられている第３フラップ部２５を有しており、
前記第３フラップ部２５から底部２２にかけての折り畳みが可能で、前記一組の対向する辺に平行であり、山折り用の罫線と谷折り用の罫線からなる折り畳み用の罫線Ｙを有する。
また、この包装材２１は、長方形（ａ−ｂ−ｃ−ｄ）の底部２２と、該底部の長方形の一組の対向する辺に設けられている第１フラップ部２３と第２フラップ部２４、他の対向する辺に設けられている第３フラップ部２５を有しており、
前記第１フラップ部２３から底部２２、第２フラップ部２４にかけての折り畳みが可能で、前記他の対向する辺に平行であり、山折り用の罫線と谷折り用の罫線からなる折り畳み用の罫線Ｘと、
前記第３フラップ部２５から底部２２にかけての折り畳みが可能で、前記一組の対向する辺に平行であり、山折り用の罫線と谷折り用の罫線からなる折り畳み用の罫線Ｙとを有する。
【００１９】
これらの包蔵材は、先に述べたフラップ部が４箇所の場合と同様に、山折り用の罫線と谷折り用の罫線からなる折り畳み用の罫線Ｘ、罫線Ｙにより、被包装物の底面に合わせて折り畳むことができる。また、包装した際のコーナー部分から塵などが混入を防ぐために、コーナー保護フラップ部２６，２７，２８を設けることもできる
【００２０】
図１０から図１５は、別の包装材の態様の説明図である。
図１０の包装材は、糊しろ部３８，３８’を有し、３８と３８’を糊接着のち、被包装物を包装する。この場合の包装材３１は、包装材は長方形（ａ−ｂ−ｃ−ｄ）の底部３２を有する。該底部の長方形の一組の対向する辺（ａ−ｂ，ｃ−ｄ）に設けられている第１フラップ部３３と第２フラップ部３４、他の対向する辺（ａ−ｄ，ｂ−ｄ）に設けられている第３フラップ部３５と第４フラップ部３６を有しており、前記第１フラップ部３３から底部３２、第２フラップ部３４にかけての折り畳みが可能で、前記他の対向する辺（ａ−ｄ）に平行であり、山折り用の罫線と谷折り用の罫線からなる折り畳み用の罫線Ｘ有する。
【００２１】
使用方法としては、図１１及び図１２のように、折り畳み用の罫線Ｘにより、被包装物の底面に合わせて折り畳むことができる。図１３のように糊しろ部（３８，３８’）を糊接着し、図１４のように第１フラップ部３３、第２フラップ部３４を持ち上げ、第３フラップ部３５、第４フラップ部３６、水かき折り込み部３７が立ち上がる。底部３２に被包装物を置き、図１５のように各フラップ部により包装することができる。第３フラップ部３５と第４フラップ部３６には、蓋部内側フラップ部３９を設けておくと、包装した状態の強度が強くなり、好ましい。この形態では、折り畳み用罫線Ｘで折り畳むと（ａ−ｂ’−ｃ’−ｄ）、折り畳まないと（ａ−ｂ−ｃ−ｄ）の底部となり、寸法の異なる被包装物を包装可能な包装材となる。折り畳み用罫線を複数設けることもでき、直交するように組み合わせて設けても良い。
【００２２】
糊接着については特に限定するものではなく、感圧接着剤、感熱接着剤、湿潤接着剤など公知の接着剤が適宜使用できる。また、ガムテープや両面テープのようなテープで固定しても構わない。
【００２３】
被包装物を包装した包装物５０は、図１５の例に限らず、図１６〜図１８のような箱とすることもできる。勿論これらに限定するものではない。
【００２４】
これまで包装する際に、折り畳み用罫線ＸやＹを折り畳み、寸法を小さくする例で説明してきたが、逆の場合も可能である。即ち、予め折り畳み用罫線で折り畳んでおき、拡幅することで寸法を大きくすることもできる。
図１９にその実施態様を示す。図１９の（１）で示す包装材は、図１０の包装材の折り畳み用罫線Ｘに加え、それに直交する方向に折り畳み用罫線Ｙを設けた構成である。図１９の（２）のように折り畳み用罫線Ｘで折り畳み、図１９の（３）のように折り畳み用罫線Ｙで折り畳む。図１９の（４）〜（６）のように箱立ち上げ用罫線により折り畳んだ後、糊しろ部を糊接着する。使用する際、そのまま包装しても良いし、既に折り畳んである罫線Ｘや罫線Ｙを広げることにより、底部を拡幅することができる。
【００２５】
被包装物は、特に限定するものではないが、底面が長方形のものが包装には適しており、特に直方体の形状に適している。例えば、はがき、コピー用紙、インクジェット記録用紙、クリアファイルといったシートの束、書籍、カタログ、ノート、伝票、ビデオテープやＤＶＤなど例示できる。
例えば、プリンター用紙の場合、予め寸法が定まっているので、Ａ４版、Ｂ４版、はがきサイズなどの寸法に合わせて罫線Ｘ、罫線Ｙを設けておくことができる。高さにおいても、５０枚用、１００枚用、１５０枚用というように、罫線Ｚを入れておくことも可能性ある。
或いは配送料金にあわせ、Ｓサイズ、Ｍサイズ、Ｌサイズというように、罫線を入れておくことも可能である。
【００２６】
図示はしていないが、被包装物を置く際の基準となる位置に目印を設けることができ好ましい。例えば、底部の長方形の一つの角に着色したり、底部の長方形の一辺に有色の線を印刷したりすることが好ましい。また、効率よく包装することを可能とするために、折る順を印刷したり、山折りか谷折かを明記したりすることもできる。
予め封緘用の糊を設けておくことも可能である。
【００２７】
包装材を構成するシート状基材は、折り畳めるシート状物であれば特に限定するものではなく、紙、板紙、不織布、合成紙、フィルムなど、或いはこれらの積層シートが例示できる。中でも紙、板紙は、折り曲げ作業が容易なので好ましく、その坪料は、７０〜２５０ｇ／ｍ２程度が好ましく、より好ましくは８０〜１８０ｇ／ｍ２、更に好ましくは９０〜１５０ｇ／ｍ２である。７０ｇ／ｍ２未満では強度不足のおそれがあり、２５０ｇ／ｍ２を超えると、折り畳み作業が困難になる可能性がある。好ましいシート状基材としては、段ボール、片面段ボール、板紙、塗工白板紙などである。
【００２８】
耐水性を付与するために、フィルムをラミネートしたり、撥水剤をコーティングしたりしたシート状基材を用いても良い。宛名などを各種プリンターで印字可能とする記録層を表面に有するシート状基材であってもよい。シート状基材には、さらにＲＦＩＤタグやバーコード、二次元バーコードなどを設けていてもよい。
包装した際、被包装物と接する面に、緩衝材を積層したシート状基材であっても良い。緩衝材を有するシート状基材を用いた場合、被包装物をより安全に輸送、運搬できるため好ましい。緩衝材としては、紙に凹凸のエンボスを施したクッション材や、紙にスリットを入れて拡幅してクッション機能を付与させたクッション材、紙に凹凸の段繰り構造を有する片面ダンボール、樹脂シートを発泡させてクッション機能を付与させたクッション材、二枚のフィルム間に空気層を設けたクッション材などを適宜使用できる。中でも、紙製の緩衝材は廃棄の際に分別することなく古紙回収に出せるので好ましい。また、樹脂製の緩衝材を用いる場合、折り畳み部分の緩衝材を潰すことで折りを容易に行うことができる他、折り畳み部に熱をかけて、樹脂製緩衝材を用いてヒートシールすることもでき、好ましい。  
【００２９】
シート状基材が段ボールや片面段ボール、或いは紙シートに凹凸をつけた紙製緩衝シートであると、シートそのものが、緩衝材の機能を有するので好ましい形態である。
また、段ボール又は片面段ボールは、段山が一方向の平行に設けられているため、段ボールの厚み、剛度によっては、包装材を折り畳んだり折り曲げたりする際に容易でない向きが生じる場合あるが、包装材の底部の長方形の少なくとも一辺と、段ボール又は片面段ボールの中芯の段山との角度が３０〜６０度とすると、一方向に並んだ段山に起因する折り曲げやすさの方向性を緩和し、包装の作業性に優れた包装材となり好ましい。なお、紙シートに凹凸をつけた紙製緩衝シートの場合でも、凹凸のパターンによって折り畳んだり折り曲げたりする際に容易でない向きが生じる場合、底部の長方形を角度をつけた状態で包装材を取り出すとよい。
【００３０】
シート状基材の厚みは、ＪＩＳ  Ｐ−８１１８（２０１４）に準拠し２３℃の条件下にて測定した値が、緩衝材のある場合はそれを含め０．５〜４．０ｍｍであることが好ましい。下限値以上とすることで、被包装物を保護することができ、上限値以下とすることで、梱包の作業をスムーズに行うことが出来き好ましい。
【産業上の利用可能性】
【００３１】
このように、本発明の包装材は、寸法の異なる被包装物に適用できる包装材であり、通販会社などの梱包作業の作業性を改善することができる。
【符号の説明】
【００３２】
１    包装材
２    底部
３    第１フラップ部
４    第２フラップ部
５    第３フラップ部
６    第４フラップ部
７    折り込み保護部
８    折り込み保護部切り目線
９    折り込み保護部切り目線
２１  包装材
２２  底部
２３  第１フラップ部
２４  第２フラップ部
２５  第３フラップ部
２６  コーナー保護フラップ部
２７  コーナー保護フラップ部
２８  コーナー保護フラップ部
３１  包装材
３２  底部
３３  第１フラップ部
３４  第２フラップ部
３５  第３フラップ部
３６  第４フラップ部
３７  水かき折り込み部
３８，３８’  糊しろ部
３９  蓋部内側フラップ部  
４０  糊付け部
５０  包装物  
Ｘ    山折り用罫線及び谷折り用罫線からなる折り畳み用罫線Ｘ
Ｘ１〜Ｘ４  山折り用又は谷折り用の折り畳み用罫線
Ｙ    山折り用罫線及び谷折り用罫線からなる折り畳み用罫線Ｙ
Ｙ１〜Ｙ４  山折り用又は谷折り用の折り畳み用罫線
Ｚ    蓋部折り曲げ用罫線Ｚ
Ｚ１〜Ｚ６  蓋部折り曲げ用罫線
Ｖ    箱立ち上げ用罫線Ｖ
Ｖ１〜Ｖ４  箱立ち上げ用罫線
Ｗ    折り込み用罫線Ｗ
Ｗ１〜Ｗ３  折り込み用罫線
【図１】
2019131284.tif 000003
【図２】
2019131284.tif 000004
【図３】
2019131284.tif 000005
【図４】
2019131284.tif 000006
【図５】
2019131284.tif 000007
【図６】
2019131284.tif 000008
【図７】
2019131284.tif 000009
【図８】
2019131284.tif 000010
【図９】
2019131284.tif 000011
【図１０】
2019131284.tif 000012
【図１１】
2019131284.tif 000013
【図１２】
2019131284.tif 000014
【図１３】
2019131284.tif 000015
【図１４】
2019131284.tif 000016
【図１５】
2019131284.tif 000017
【図１６】
2019131284.tif 000018
【図１７】
2019131284.tif 000019
【図１８】
2019131284.tif 000020
【図１９】
2019131284.tif 000021